(57)【要約】      （修正有）【課題】浄化対象となる対象液が周囲に漏洩してしまうおそれなく、対象液を効果的に浄化させることができ、対象液の液面下の支障物等と干渉しない、浄化装置の提供。【解決手段】浄化装置１０は、対象液の液面の上方から対象液内へと延びる吸引管２０と、吸引管２０の先端部２０Ａから対象液を吸引させる吸引駆動部３０と、液面の上方に配されて、吸引管２０により吸引された対象液が供給され、供給された対象液の除去対象物質を除去し、除去対象物質を除去した処理水を液面に向けて放出する浄化部４０とを備える、浄化装置。【選択図】図４
2018164881.tif 000002
【特許請求の範囲】
【請求項１】
浄化対象となる対象液を浄化させる浄化装置であって、
前記対象液の液面の上方から前記対象液内へと延びる吸引管と、
前記吸引管の先端部から前記対象液を吸引させる吸引駆動部と、
前記液面の上方に配されて、前記吸引管により吸引された前記対象液が供給され、供給された前記対象液の除去対象物質を除去し、除去対象物質を除去した処理水を前記液面に向けて放出する浄化部とを備える浄化装置。
【請求項２】
請求項１に記載の浄化装置において、
前記浄化部を支持するとともに、吊下げ支持される吊下部を有するフレームを備える浄化装置。
【請求項３】
請求項１または請求項２に記載の浄化装置において、
前記浄化部の下方に配され、前記浄化部から放出される前記処理水を受ける底部を備え、
前記処理水は、前記底部が受けた後、前記液面へと放出される浄化装置。
【請求項４】
請求項１から請求項３のいずれか一項に記載の浄化装置において、
前記浄化部と前記吸引管とを接続する接続管を備え、
前記浄化部を複数備え、複数の前記浄化部は前記接続管により前記吸引管に対して並列に接続されている浄化装置。
【請求項５】
請求項４に記載の浄化装置において、
複数の前記浄化部の少なくとも一部は、前記吸引管を中心とする円周上に複数配されている浄化装置。
【請求項６】
請求項５に記載の浄化装置において、
複数の前記浄化部は、前記吸引管からの距離が等しい第一浄化群と、
前記第一浄化群よりも前記吸引管からの距離が遠い第二浄化群とを含み、
前記吸引管から前記第二浄化群の前記浄化部へと接続される前記接続管は、平面視して、前記第一浄化群の前記浄化部の中心から位置をずらして配されている浄化装置。
【請求項７】
請求項１から請求項６のいずれか一項に記載の浄化装置において、
前記吸引管は、前記先端部の外周面に側方に向けて開口する吸引孔を有する浄化装置。
【請求項８】
請求項１から請求項７のいずれか一項に記載の浄化装置において、
前記吸引管の前記先端部は、先端に向かうに従って次第に小径となっており、先端が球面状に形成されている浄化装置。
【請求項９】
請求項１から請求項８のいずれか一項に記載の浄化装置と、
前記対象液の側方に配される床部に載置される基部、前記基部から前記対象液の上方の位置へ側方に延び、前記基部に片持ち状に支持されるとともに、前記浄化装置を吊り下げ支持する張出部、及び前記基部と連結され吊下げ可能な吊架部を有する支持装置とを備える浄化システム。
【請求項１０】
請求項９に記載の浄化システムにおいて、
前記支持装置の前記基部は、前記床部に向かって先細りとなり前記床部に支持される基礎部を備える浄化システム。
【請求項１１】
請求項９または請求項１０に記載の浄化システムにおいて、
前記張出部に設けられて前記浄化装置の前記浄化部を上方から監視する監視カメラを備える浄化システム。
【発明の詳細な説明】
【技術分野】
【０００１】
本発明は、浄化対象となる対象液を浄化させる浄化装置及び浄化システムに関する。
【背景技術】
【０００２】
原子炉建屋では、原子炉と隣接して使用済燃料を保管するための使用済燃料プールが設けられている。使用済燃料プールは、保管されている使用済燃料から発生する崩壊熱を冷却するために、貯留されているプール水を循環冷却している。具体的には、使用済燃料プールに隣接して、当該プールにおけるオーバフローした水を案内する流路と、流路から流れ出る水を貯留するスキマサージタンクと、スキマサージタンクとプール水配管を介して接続されたろ過脱塩器と、プール水を冷却する熱交換器とを備え、ろ過脱塩器でろ過され、熱交換器で冷却されたプール水を使用済燃料プールに再供給している（例えば、特許文献１、非特許文献１参照）。
【０００３】
周辺設備が損壊するなどにより、使用済燃料プールに瓦礫が落下するような場合には、瓦礫によって使用済燃料プール内の燃料集合体が損傷していないか確認するとともに、使用済燃料プール内に落下した瓦礫を速やかに撤去する必要がある。しかしながら、瓦礫の量が多く、大きな瓦礫のみならず細かい粉塵も使用済燃料プールに落下してしまった場合には、プール水が混濁してしまう。このようにプール水が混濁してしまった状態では、プール水内に貯留されている燃料集合体の状況を確認できないばかりか、落下した瓦礫の位置や状況を正確に把握することができないため安全に瓦礫を撤去することができない。このため、現存の設備を利用して使用済燃料プールに貯留されているプール水を浄化して混濁した状態を解消する必要がある。
【０００４】
具体的には、上記のように使用済燃料プールでオーバフローした水を、流路を通してスキマサージタンクに回収する。そして、スキマサージタンクに接続されたろ過脱塩器等を混濁の原因となっている塵埃などをろ過するフィルタとして機能させて混濁の原因を取り除いた後に使用済燃料プールに戻す。また、ろ過脱塩器等の現存の設備を使用できない場合には、プール水配管を代替の浄化設備に接続し、プール水を浄化して使用済燃料プールに戻す。これを繰り返すことで使用済燃料プールのプール水の混濁した状態を解消した後に、落下した瓦礫を取り除くことが考えられる。
【先行技術文献】
【特許文献】
【０００５】
【特許文献１】特開平１１−３５２２８０号公報
【非特許文献】
【０００６】
【非特許文献１】東京電力株式会社、福島県原子力発電所の廃炉に関する安全監視協議会  現地調査（６号機  原子炉開放および燃料移動）、４・５頁、[online]、平成２５年１０月２２日、福島県、https://www.pref.fukushima.lg.jp/download/1/haiannkyou_131022_5.pdf
【発明の概要】
【発明が解決しようとする課題】
【０００７】
しかしながら、瓦礫等が燃料集合体の頂部まで落下している状況では、使用済燃料プール水面付近ではなく、より水深の深い燃料集合体の頂部付近で混濁している可能性が高い。
浄化対象となる対象液である使用済燃料プールのプール水を浄化するために、オーバフローした水を採取して浄化する上記方法では、上層部分だけを浄化させることになる。このため、水面付近よりも深い位置で浮遊する塵埃を取り除くことはできず使用済燃料プールの混濁した状態を十分に解消することができなかった。
吸引するための仮設配管を、使用済燃料プール内に挿入するとともにフィルタに接続し、使用済燃料プールの下方からプール水を採取してフィルタで浄化する設備を設置する方法も考えられるが、炉心損傷を伴う様な事故で瓦礫等が使用済燃料プールに落下している場合には、使用済燃料プール周りは放射線の高線量区域になっていると考えられる。そのため、上記方法を採用するにあたっては、遠隔で設置でき、遠隔で運転状況等を確認できる設備が必要であるといった問題がある。さらに、使用済燃料プールに隣接する床等に設置する設備構成では、万一仮設配管から漏洩が発生した場合には、使用済燃料を冷却するプール水の外部流出を止めるために運転を中止し撤収せざるを得ず、加えて、放射性物質を含むプール水により使用済燃料プールの周囲が汚染されてしまう問題があった。
また、上記方法においては、吸引するための配管以外のフィルタ等の構造物を水中に入れてしまうと水中の瓦礫等と干渉する問題がある。
【０００８】
そこで、この発明は、上述した事情に鑑みてなされたものであって、浄化対象となる対象液が周囲に漏洩してしまうおそれなく、対象液を効果的に浄化させることが可能で、対象液の液面下の支障物等と干渉しない浄化装置及び浄化システムを提供するものである。
【課題を解決するための手段】
【０００９】
上記の課題を解決するために、本発明は以下の手段を採用している。
すなわち、本発明の一態様に係る浄化装置は、浄化対象となる対象液を浄化させる浄化装置であって、前記対象液の液面の上方から前記対象液内へと延びる吸引管と、前記吸引管の先端部から前記対象液を吸引させる吸引駆動部と、前記液面の上方に配されて、前記吸引管により吸引された前記対象液が供給され、供給された前記対象液の除去対象物質を除去し、除去対象物質を除去した処理水を前記液面に向けて放出する浄化部とを備える。
【００１０】
この構成によれば、吸引駆動部が駆動することにより対象液内へと延びる吸引管の先端部から対象液を吸引することができ、これにより浄化するべき所望の位置で対象液を採取することができる。先端部で吸引された対象液は、吸引管により対象液の液面上方へと案内され、浄化部に供給される。浄化部では、供給された対象液の除去対象物質を除去して処理水を生成し、当該処理水を液面に向けて放出し、浄化対象となる対象液内に戻すことができる。ここで、採取された対象液は、対象液の液面上方まで案内されて浄化された後に液面上に放出されるのみであり、対象液の周辺に搬送されずに浄化処理が行われる。このため、万一採取した対象液が漏洩し、あるいは、処理水が漏洩したとしても、対象液が系外に流出するわけではないので多少の漏えいで運転を止める必要がなく、対象液の周辺を汚染してしまうおそれがない。また、上記のとおり吸引管の先端部で対象液を所望の位置で採取し浄化することができるので、効果的に対象液を浄化することができる。さらに、液面の上方に配されることで液面下の構造物と干渉しない。また、上記装置をクレーン等で吊下げれば遠隔で上記装置を対象液上方に配置することができる。
【００１１】
また、本発明の一態様に係る浄化装置においては、前記浄化部を支持するとともに、吊下げ支持される吊下部を有するフレームを備えるものとしても良い。
【００１２】
この構成によれば、吊下部を有するフレームにより浄化部を支持することで、吊下部で吊下げ支持した状態で、浄化部を、対象液の液面上方において落下の恐れなく安定的に支持することができる。
【００１３】
また、本発明の一態様に係る浄化装置においては、前記浄化部の下方に配され、前記浄化部から放出される前記処理水を受ける底部を備え、前記処理水は、前記底部が受けた後、前記液面へと放出されるものとしても良い。
【００１４】
この構成によれば、処理水は、浄化部の下方に配された底部によって受け止められた後に液面へと放出されるため、浄化部から放出される処理水の状態を浄化装置の上方などの外観から好適に監視することができる。したがって、上記放出の状況を目視することで容易に遠隔で運転状態を確認できる。また、浄化部等の脱落に際して、上記底部により対象液中への落下を防止することもできる。
【００１５】
また、本発明の一態様に係る浄化装置においては、前記浄化部と前記吸引管とを接続する接続管を備え、前記浄化部を複数備え、複数の前記浄化部は前記接続管により前記吸引管に対して並列に接続されているものとしても良い。
【００１６】
この構成によれば、複数の浄化部が接続管により吸引管に対して並列に接続されていることで、対象液を吸引管から各浄化部へ濃度等が同じ条件となるように略均等な条件で分配することができる。このため、浄化部の劣化が偏ってしまうことを抑制することができる。また万一、一部の浄化部の劣化が進行してしまった場合には、残りの浄化部に接続管を通して対象液を供給することができるため、健全な浄化部を有効に利用することができる。
【００１７】
また、本発明の一態様に係る浄化装置においては、複数の前記浄化部の少なくとも一部は、前記吸引管を中心とする円周上に複数配されているものとしても良い。
【００１８】
この構成によれば、浄化部が吸引管を中心とする円周上に複数配されていることで、省スペースで多くの浄化部を配置することができる。また、吸引管からの浄化部までの距離を均等にすることができ、圧損の違いによる対象液の供給量の差を小さくして、浄化部の劣化が偏ってしまうことを防止することができる。
【００１９】
また、本発明の一態様に係る浄化装置においては、複数の前記浄化部は、前記吸引管からの距離が等しい第一浄化群と、前記第一浄化群よりも前記吸引管からの距離が遠い第二浄化群とを含み、前記吸引管から前記第二浄化群の前記浄化部へと接続される前記接続管は、平面視して、前記第一浄化群の前記浄化部の中心から位置をずらして配されているものとしても良い。
【００２０】
この構成によれば、吸引管からの距離が異なる第一浄化群と第二浄化群を備えることで省スペースでより多くの浄化部を配置することができる。ここで、第二浄化群の浄化部と吸引管とを接続する接続管が第二浄化群より吸引管に近い第一浄化群の浄化部の中心から平面視して位置をずらして配されていることで、第二浄化群の浄化部に接続される接続管が第一浄化群の浄化部の設置及びメンテナンスに支障となってしまうことを防止することができる。
【００２１】
また、本発明の一態様に係る浄化装置においては、前記吸引管は、前記先端部の外周面に側方に向けて開口する吸引孔を有するものとしても良い。
【００２２】
この構成によれば、吸引管の先端側が対象液中で支障物等に干渉したとしても、対象液を吸引する吸引孔が先端部の外周面に側方に向けて開口していることで、対象液の吸引が阻害されない。また、見えにくい吸引管の先端側で小さな支障物等を誤って吸引してしまうことを防止することができる。さらに、吸引孔の径を小さくすることで小さな支障物等の混入を防ぎつつ、所定量の対象液を吸引できるよう必要な孔数を前記先端部の外周面側方に設けることができる。
【００２３】
また、本発明の一態様に係る浄化装置においては、前記吸引管の前記先端部は、先端に向かうに従って次第に小径となっており、先端が球面状に形成されているものとしても良い。
【００２４】
この構成によれば、吸引管の先端部が先端に向かうに従って小径となっていることで、また、先端が球面状に形成されていることで、吸引管の先端部を対象液に挿入した際に、対象液の内部に存在する支障物との干渉を避けて狭隘な部分に容易に挿入することができる。
【００２５】
また、本発明の一態様に係る浄化システムは、上記の浄化装置と、前記対象液の側方に配される床部に載置される基部、前記基部から前記対象液の上方の位置へ側方に延び、前記基部に片持ち状に支持されるとともに、前記浄化装置を吊り下げ支持する張出部、及び前記基部と連結され吊下げ可能な吊架部を有する支持装置とを備える。
【００２６】
この構成によれば、クレーン等で常時吊下げる必要がなく、対象液の側方に基部が載置された状態で、当該基部から対象液の上方の位置へ側方に延び片持ち状に支持された張出部により浄化装置を吊下げ支持して対象液の液面上方に浄化部を配置することができる。そして、支持装置が吊架部を備え、吊架部を吊下げることで、張出部に吊下げられた浄化装置を、支持装置ごと遠隔で搬送することができる。
【００２７】
また、本発明の一態様に係る浄化システムにおいては、前記支持装置の前記基部は、前記床部に向かって先細りとなり前記床部に支持される基礎部を備えるものとしても良い。
【００２８】
この構成によれば、床部に載置される基部において床部に支持される基礎部が床部に向かって先細りとなっていることで、床部に瓦礫等が存在していても基礎部を貫入させて安定的に配置することができる。
【００２９】
また、本発明の一態様に係る浄化システムにおいては、前記張出部に設けられて前記浄化装置の前記浄化部を上方から監視する監視カメラを備えるものとしても良い。
【００３０】
この構成によれば、張出部に監視カメラが設けられていることで張出部に吊下げされた浄化装置の浄化部を上方から好適に監視することができる。
【発明の効果】
【００３１】
本発明によれば、浄化対象となる対象液が周囲に漏洩してしまうおそれなく、対象液を効果的に浄化させることができ、対象液の液面下の支障物等と干渉しない。
【図面の簡単な説明】
【００３２】
【図１】本発明の実施形態の浄化システムを示す斜視図である。
【図２】本発明の実施形態の浄化システムを示す側面図である。
【図３】本発明の実施形態の浄化装置を示す斜視図である。
【図４】本発明の実施形態の浄化装置において、側板を取り外した状態を示す正面図である。
【図５】本発明の実施形態の浄化装置の平面図である。
【図６】本発明の実施形態の浄化システムの平面図である。
【図７】本発明の実施形態の浄化システムの後面図である。
【図８】本発明の実施形態の浄化システムにおいて、支持装置を仮置架台に設置した状況図である。
【図９】本発明の実施形態の浄化システムにおいて、クレーン等で吊り上げた状況図である。
【図１０】本発明の実施形態の変形例の浄化装置において、側板を取り外した状態を示す正面図である。
【図１１】本発明の実施形態の変形例の浄化装置の平面図である。
【発明を実施するための形態】
【００３３】
＜浄化システム＞
以下、本発明に係る一の実施形態について図１から図９を参照して説明する。
図１及び図２は、本実施形態の浄化システム１００を示している。本実施形態では、浄化システム１００は、使用済燃料プールＰの浄化を行うために用いられる。使用済燃料プールＰは、原子炉建屋の原子炉格納容器に隣接して設けられている。使用済燃料プールＰには冷却用のプール水Ｗが貯留されている。本実施形態では、対象液としてプール水Ｗが浄化対象となっている。使用済燃料プールＰには隣接してステージＳが設けられている。本実施形態では、原子炉格納容器及び使用済燃料プールＰを覆う原子炉建屋が損壊し、損壊によって発生した大小様々な瓦礫が、使用済燃料プールＰや上記ステージＳに崩落したケースについて説明する。
【００３４】
図１及び図２に示すように、本実施形態の浄化システム１００は、プール水Ｗを浄化させる浄化装置１０と、後述するフィルタ部４０をプール水Ｗの水面上方に位置するように浄化装置１０を吊下げ支持する支持装置１１０とを備える。支持装置１１０は、ステージＳに配置されている。
【００３５】
＜浄化装置１０＞
図３から図５に示すように、浄化装置１０は、プール水Ｗの水面Ｗ１の上方からプール水Ｗ内へと延びる吸引管２０と、吸引管２０の先端部２０Ａからプール水Ｗを吸引させる吸引駆動部であるポンプ３０と、水面Ｗ１の上方に配されて、吸引管２０により吸引されたプール水Ｗを浄化する浄化部であるフィルタ部４０と、吸引管２０とフィルタ部４０とを接続する接続管５０と、フィルタ部４０を支持するフレーム６０とを備える。吸引管２０は、プール水Ｗ内に挿入される先端管２１と、接続管５０と接続される基端管２２とを備える。先端管２１と基端管２２との間にポンプ３０が設けられている。先端管２１は、可撓性を有しプール水Ｗ内において自由自在に曲げられ瓦礫等を避けつつ所定の位置まで先端部２１Ａを下げることが可能である。先端管２１において、基端部２１ａにはポンプ３０の入口管３２が挿入されている。基端部２１ａには挿入されたポンプ３０の入口管３２を着脱可能とする図示しないカムロックなどからなるロック機構と、ロック機構を操作するロックレバー２２ａとが設けられている。先端管２１において先端部２０Ａは、外周面に側方に向けて開口する複数の吸引孔２３ａが形成された吸引部２３と、吸引部２３の先端側に設けられて先端に向かうに従って次第に小径となる円錐状に形成された縮径部２４と、縮径部２４の先端側で吸引管２０の先端を構成し球面状に形成された球面部２５とを有する。基端管２２は、先端側にフランジ部２６を有してポンプ３０の出口管３３と接続されている。また、基端管２２は、基端側に閉塞板２７が設けられて閉塞されている。閉塞板２７には圧力計７０が設けられていて、ポンプ３０で圧送されたプール水Ｗの閉塞板２７近傍での圧力を測定可能となっている。
【００３６】
ポンプ３０は、ポンプ本体３１と、ポンプ本体３１から突出する入口管３２及び出口管３３とを備える。上記のように入口管３２は下方に突出し吸引管２０において先端管２１の基端に挿入され図示しないカムロックなどからなるロック機構によって先端管２１に対して固定されている。出口管３３はフランジ部３３ａを有する。出口管３３のフランジ部３３ａと、吸引管２０において基端管２２のフランジ部２６とはボルトにより締結され、これにより吸引管２０の基端管２２及び先端管２１とポンプ３０とは一体となっている。
【００３７】
フィルタ部４０は、円柱状に形成されている。フィルタ部４０は、円筒状で外周面に貫通孔４１ａが複数形成されたケーシング４１と、ケーシング４１内部に配された円筒状のフィルタ本体４２と、ケーシング４１の上端に設けられ、接続管５０が接続されるとともに、接続管５０から流入するプール水Ｗをフィルタ本体４２の内部に導入する接続部４３とを備える。接続部４３からフィルタ本体４２の内部に導入されたプール水Ｗは、フィルタ本体４２の内部から外周側へと透過する際に混入している粒子等の除去対象物質が濾過される。フィルタ本体４２を透過したプール水Ｗは処理水Ｗ２としてケーシング４１の貫通孔４１ａから外部へと放出される。
【００３８】
本実施形態の浄化装置１０では、フィルタ部４０を複数備えている。複数のフィルタ部４０は、吸引管２０の周囲に配された複数のフィルタ部４０により構成される第一浄化群４６と、第一浄化群４６よりも吸引管２０から離れた位置に配された複数のフィルタ部４０により構成される第二浄化群４７とを備える。図５に示すように、第一浄化群４６を構成する複数のフィルタ部４０は、平面視して、吸引管２０を中心とする円周上に、吸引管２０からの距離を略等しくして、かつ、互いの間隔を等しくして配されている。本実施形態では、第一浄化群４６は、６つのフィルタ部４０（４０Ａ〜４０Ｆ）で構成されている。また、第二浄化群４７を構成する複数のフィルタ部４０（４０Ｇ〜４０Ｌ）は、平面視して、第一浄化群４６を挟んで両側の位置にそれぞれ直線状に複数配されている。本実施形態では、第二浄化群４７は、各側３つずつ計６つのフィルタ部４０（４０Ｇ〜４０Ｌ）で構成されている。
【００３９】
本実施形態の浄化装置１０では、フィルタ部４０の数は、使用する各フィルタ部４０における使用限界を定める使用可能時間・使用可能流量・使用可能な除去物質重量などのフィルタ性能、プール水Ｗにおける除去対象物質の濃度、要求連続運転時間、ポンプの吐出容量などにより決定される。本実施形態では、各条件に基づいて１２個のフィルタ部が必要とされている。そして、このような１２個のフィルタ部４０は、プール壁面に近づけて省スペースに配置するために、平面視矩形となるように配置される。
具体的には平面視で稠密に矩形配置となるように，３個のフィルタ（４０Ｇ〜４０Ｉ）、２個のフィルタ（４０Ｂ、４０Ｃ）、２個のフィルタ（４０Ａ、４０Ｄ）及び吸引管２０、２個のフィルタ（４０Ｆ、４０Ｅ）、３個のフィルタ（４０Ｊ〜４０Ｌ）のそれぞれが、列になって順に５列に配置されている。３列目については、その中央に吸引管が、両側のそれぞれに１個のフィルタ（４０Ａ、４０Ｄ）が配置される。ここで、各フィルタは、フィルタ表面からの処理水Ｗ２の流出を相互に阻害しないように一定の間隔をもって配置される。また，中央の３列に配置される６個のフィルタ（４０Ａ〜４０Ｆ）はそのそれぞれの中心から吸引管までの距離を同じくした円周上に等角度間隔に配置され、上述の第一浄化群を構成している。そして、両側の２列のフィルタ（４０Ｇ〜４０Ｌ）が上述の第二浄化群を構成している。
【００４０】
接続管５０は、各フィルタ部４０と対応して設けられ、それぞれ一端が吸引管２０と接続され、他端がフィルタ部４０の接続部４３と接続されている。これにより各フィルタ部４０は接続管５０を介して吸引管２０に対して並列に接続されている。各接続管５０は、基端で吸引管２０に接続されて対応するフィルタ部４０に向かって側方へと延びる引出管５１と、基端が引出管５１の先端に接続されて下方へと曲がるベンド管５２とを備える。ベンド管５２の先端にはフィルタ部４０の接続部４３が挿入されている。ベンド管５２の先端には、挿入された接続部４３を着脱可能に固定する図示しないカムロックなどからなるロック機構と、ロック機構の着脱を操作するロックレバー５３とが設けられている。ロックレバー５３によりロックすることで、ベンド管５２の先端に挿入されたフィルタ部４０の接続部４３が吊下げ支持されている。また、接続管５０のうち、第一浄化群４６の各フィルタ部４０、及び、第二浄化群４７のうち中央のフィルタ部４０（４０Ｈ・４０Ｋ）と対応する接続管５０の引出管５１は、対応するフィルタ部４０の中心に向かって直線状に延びている。一方、第二浄化群４７のうち端のフィルタ部４０と対応する接続管５０の引出管５１は、平面視して、吸引管２０との間に位置する第一浄化群４６のフィルタ部４０の中心から位置をずらすように曲管５１ａを含んで構成されている。
【００４１】
フレーム６０は、複数のフィルタ部４０を側方から挟み込むように配された一対の側板６１と、一対の側板６１の上縁６１ａ同士を連結する複数の梁部材６２と、一対の側板６１の下縁同士を連結しフィルタ部４０の下方に離間して配された底部をなす底板６３と、一対の側板６１に取り付けられた環状の吊下部６４とを備える。一対の側板６１の互いに対向する第一方向Ｘと直交する水平な第二方向Ｙは開口６５となっており、複数のフィルタ部４０は側方から露出している。また、梁部材６２は格子状に第一方向Ｘ及び第二方向Ｙに配されており、その隙間からフレーム６０の内部を上方から監視可能としている。梁部材６２には下方に延びる支持部材６６が設けられている。そして、各接続管５０の引出管５１は支持部材６６に連結されており、これによりフィルタ部４０はそれぞれ接続管５０及び支持部材６６を介してフレーム６０に支持されている。なお、これに限らず、フィルタ部４０がサポート等により直接フレーム６０に支持されていても良い。また、各接続管５０の引出管５１と、吸引管２０の基端管２２との間には控材６７が設けられている。控材６７は、基端管２２における引出管５１の接続位置よりも下方の位置と、引出管５１の下面との間に傾斜して配されており、これにより基端管２２から張り出す引出管５１の支持を補助している。吊下部６４は、各側板６１の上縁６１ａの両端部に設けられており、両側板６１で計４箇所設けられている。吊下部６４には、シャックルなどの吊具を介してワイヤ６８が係合されている。これによりフレーム６０は、４点吊りでワイヤ６８により吊下げられている。
【００４２】
＜支持装置１１０＞
図２、図６及び図７に示すように、支持装置１１０は、使用済燃料プールＰの側方に位置する床部を構成するステージＳに載置される基部１２０と、基部１２０から使用済燃料プールＰのプール水Ｗの上方の位置へ側方に延び、基部１２０に片持ち状に支持された張出部１３０と、基部１２０と連結されて吊下げ可能な吊架部１４０とを備える。張出部１３０は、後述する基部１２０の固定部１２４とともに一部材のＨ鋼からなる。張出部１３０の先端には、ワイヤ６８を吊下げ可能なフック部１３１を備える。そして、フック部１３１に浄化装置１０の吊下部６４に係合されたワイヤ６８が係合されていることで、浄化装置１０は、フィルタ部４０及びフレーム６０をプール水Ｗの水面Ｗ１上に位置し、かつ、吸引管２０の先端部２０Ａをプール水Ｗ内部に挿入するようにして張出部１３０に吊り下げ支持されている。
【００４３】
基部１２０は、ステージＳ上に立てられた前側支柱１２１及び後側支柱１２２と、張出部１３０が延びる延設方向Ｖ１に配された第一連結部材１２３及び固定部１２４と、延設方向Ｖ１と直交する水平な幅方向Ｖ２に配された第二連結部材１２５とを備える。前側支柱１２１は、張出部１３０の基端部分に設けられており、幅方向Ｖ２に間隔を有して２つ設けられている。また、後側支柱１２２は、前側支柱１２１に対して張出部１３０が延びる側と反対側に設けられており、幅方向Ｖ２に間隔を有して２つ設けられている。すなわち、基部１２０は、２つの前側支柱１２１と２つの後側支柱１２２によってステージＳ上で４点支持となっている。前側支柱１２１の下端部となりステージＳに当接し支持される前側基礎部１２１ａと、後側支柱１２２の下端部となりステージＳに当接し支持される後側基礎部１２２ａとは、それぞれステージＳに当接する下端に向かって次第に先細りとなるように、下端部分が斜めに切断されている。
【００４４】
第一連結部材１２３は前側支柱１２１の上端と後側支柱１２２の上端とを連結している。また、第一連結部材１２３は前側支柱１２１及び後側支柱１２２の各組ごとに設けられ、計２本設けられている。第二連結部材１２５は、上端部で前側支柱１２１同士、及び、後側支柱１２２同士を連結する上部連結材１２５ａと、上部連結材１２５ａから間隔を空けて下方に配されて前側支柱１２１同士、及び、後側支柱１２２同士を連結する下部連結材１２５ｂとを備える。前側支柱１２１が設けられた位置に配された上部連結材１２５ａと、後側支柱１２２が設けられた位置に配された上部連結材１２５ａとの間には固定部１２４が配されている。そして固定部１２４は上部連結材１２５ａのそれぞれに固定されるとともに、固定部１２４と一体となった部材によって構成された張出部１３０が当該上部連結材１２５ａよりも張り出してプール水Ｗの水面Ｗ１上方に配されている。また、前側支柱１２１及び後側支柱１２２のそれぞれと第一連結部材１２３との間には第一控部材１２６が設けられている。また、前側支柱１２１同士の間に設けられた下部連結材１２５ｂの略中央の位置と張出部１３０との間には第二控部材１２７が設けられている。
【００４５】
吊架部１４０は、固定部１２４から延設方向Ｖ１に間隔を有して配された一対の柱部１４１と、一対の柱部１４１の上端同士を連結した把持部１４２とを備える。一対の柱部１４１は固定部１２４の上面に固定されている。そして、把持部１４２を挟み込み可能な吊具で挟み込んで吊り上げることで、支持装置１１０及び浄化装置１０を一体的に吊り込むことができる。吊具で把持部１４２を把持する把持位置１４２ａは、浄化装置１０の重量及び浄化装置１０が吊下げされるフック部１３１から当該把持位置１４２ａまでのアーム長によって決まるモーメントと、後述するカウンターウェイトの重量及びカウンターウェイトが配置される錘配置部１５０から把持位置１４２ａまでのアーム長によって決まるモーメントとが略釣り合う位置に設定されている。なお、基部１２０及び張出部１３０の重量によるモーメントも考慮しても良い。また、固定部１２４において一対の柱部１４１が取り付けられている位置近くには、上部連結部材１２５ａと平行となるようにして固定部１２４と第一連結部材１２３とを連結する連結部材がさらに設けられている。
【００４６】
また、支持装置１１０は、カウンターウェイトＣＷを配置する錘配置部１５０と、監視カメラ１６０とを備える。
錘配置部１５０は、張出部１３０が延びる側と反対側となる後側支柱１２２同士の間に配された上部連結材１２５ａと下部連結材１２５ｂとの間に設けられている。カウンターウェイトＣＷの重量は適宜変更可能であるが、浄化装置１０の重量で発生するモーメントと略釣り合うモーメントを発生させる重量であることが望ましい。この際、基部１２０及び張出部１３０の重量によるモーメントも考慮しても良い。また、監視カメラ１６０は、張出部１３０の先端側に下向きに、浄化装置１０のフィルタ部４０の状況を撮影可能に設けられている。なお、監視カメラ１６０に限らずに、監視用のセンサ等、すなわちフィルタ部４０の圧力を図る圧力センサ、プール水Ｗの温度を測定する温度計、プール水Ｗの水位を測定する水位計、放射線の線量を測定する線量計などが張出部１３０に設けられていても良い。
【００４７】
＜仮置架台＞
図８に示すように、浄化システム１００は、ステージＳとは離れた位置にあり作業を行うための作業面Ｆ上に配置され、支持装置１１０及び浄化装置１０を仮置きするための仮置架台１７０を備える。仮置架台１７０は、作業面Ｆ上に配置される基台１８０と、基台１８０上に固定され上面が載置面１９０ａとなる受け部材１９０とを備える。そして、載置面１９０ａには、支持装置１１０における基部１２０の前側基礎部１２１ａ及び後側基礎部１２２ａの下端が配置される。載置面１９０ａから基台１８０が配置される作業面Ｆまでの高さは、浄化装置１０のフィルタ部４０、フレーム６０及び基端管２２が張出部１３０から吊下げられるとともに、作業面Ｆ上で先端管２１及びポンプ３０を基端管２２に取り付けることが可能な高さとなっている。張出部１３０に吊下げられた基端管２２にポンプ３０及び先端管２１を取り付けると、ポンプ３０及び先端管２１は吊下げられたフレーム６０から垂れ下がり、先端管２１は撓んで作業面Ｆ上に配置される。
【実施例】
【００４８】
より具体的な浄化装置の実施例としては、例えば以下のようなものが適用される。すなわち、浄化装置１０において、全体の性能としては使用済燃料プールＰのプール水Ｗ１４００ｍ３を２４時間で浄化する性能を有するものとして設定される。ポンプ３０は、吐出し口径１００ｍｍ、吐出し量１．００ｍ３／分（≒１４００（ｍ３）／ {２４（時間）×６０（分）}）のものが適用される。また、吸引管２０の先端管２１における吸引孔は、１個の孔径が１０ｍｍの孔が１５ｍｍピッチで千鳥状に配置されている。先端管２１の長さは、ポンプ３０を組み付けた状態で、ポンプ３０も含めて３．５〜５．０ｍ程度に設定される。また、フレーム６０は、炭素鋼で形成され、外寸法で、短辺となる第一方向Ｘの寸法が１４００ｍｍ、長辺となる第二方向Ｙの寸法が１９００ｍｍ、高さ寸法が１０７５ｍｍに設定される。フィルタ部４０は、フィルタ本体４２の濾過口径が１〜３μｍで塩素を含まない有機材料で形成されている。ケーシング４１の材質は亜鉛メッキ鋼板である。フィルタ部４０の外寸法は、直径３４０ｍｍ、高さ５００ｍｍに設定される。また、フィルタ部４０の性能としては、処理流量０．２ｍ３／分、最高使用差圧０．１５ＭＰａに設定される。これによりフィルタ部４０の最低個数としては、ポンプ３０の吐出し量と対応させて５個（＝１．００（ｍ３／分）／０．２（ｍ３／分））。そしてフィルター目詰まりによる流量低下を見込み、フィルタ部４０の設置個数としては余裕を考慮して１２個としている。
【００４９】
＜浄化システム１００による浄化方法及び作用効果＞
次に、本実施形態の浄化システム１００を用いた浄化方法について説明する。
まず組立工程として、支持装置１１０に浄化装置１０を吊下げる。すなわち、図８に示すように、仮置架台１７０の上に支持装置１１０を設置する。また、予め浄化装置１０において、フィルタ部４０、フレーム６０、接続管５０、吸引管２０における基端管２２を組み立て、ポンプ３０及び吸引管２０における先端管２１を除いた状態の組立体を組み立てる。吊下部６４に係合されたワイヤ６８をクレーンで係合し、当該組立体を張出部１３０の高さまで吊り上げる。そして、ワイヤ６８を張出部１３０のフック部１３１に係合することで、組立体は張出部１３０に吊下げられた状態となる。この状態で、ポンプ３０及び吸引管２０における先端管２１を、吸引管２０における基端管２２に接続することで、支持装置１１０及び浄化装置１０が組み立てられる。
【００５０】
ここで、浄化装置１０が支持装置１１０に吊下げられた状態では、前側基礎部１２１ａの下端を支点として、浄化装置１０の重量及び浄化装置１０が吊下げられた張出部１３０のフック部１３１から当該支点までのアーム長によるモーメントと、カウンターウェイトＣＷの重量及びカウンターウェイトＣＷが配置される錘配置部１５０から当該支点までのアーム長によるモーメントが略釣り合うことにより、支持装置１１０及び浄化装置１０を仮置架台１７０上で安定的に配置することができる。また、カウンターウェイトＣＷが配置されている錘配置部１５０が後側支柱１２２部同士の間に配された上部連結材１２５ａと下部連結材１２５ｂとの間に配置されている。このため、浄化装置１０が支持装置１１０に吊下げられていない状態では、カウンターウェイトＣＷの重量はモーメントを発生させることなく後側基礎部１２２ａで支持することができ、この状態でも仮置架台１７０上に支持装置１１０を安定的に配置することができる。
【００５１】
次に、設置工程として、使用済燃料プールＰに浄化装置１０を設置する。すなわち、図８において、仮置架台１７０に配置された支持装置１１０の吊架部１４０をクレーンの吊具で把持する。そして、図９に示すように、クレーンで支持装置１１０及び浄化装置１０を吊り上げてステージＳまで遠隔で搬送する。ここで、上記のとおり吊具で把持する把持位置１４２ａは、浄化装置１０によるモーメントと、カウンターウェイトＣＷによるモーメントとが略釣り合う位置に設定されているため、吊下げられた支持装置１１０及び浄化装置１０は、張出部１３０が略水平な姿勢で安定的に遠隔で搬送することができる。そして、図２に示すように、支持装置１１０の基部１２０を、張出部１３０が水面Ｗ１上方に向かって延びるような向きでステージＳ上に配置する。このようにして支持装置１１０の基部１２０がステージＳ上に配置されると、浄化装置１０は、フレーム６０及びフィルタ部４０がプール水Ｗの水面Ｗ１上方に配置されるとともに、吸引管２０は水面Ｗ１の上方から水面Ｗ１内へと挿入され、先端部２０Ａの吸引孔２３ａが浄化対象となる深さに位置することとなる。そして、フレーム６０及びフィルタ部４０については水面Ｗ１上としてプール水Ｗ内に配置する必要がないのでプール水中内の瓦礫等との干渉をさけて配置することができる。
【００５２】
ここで、支持装置１１０の基部１２０においてステージＳに当接し支持される前側基礎部１２１ａ及び後側基礎部１２２ａは、下端に向かって次第に先細りとなっている。このため、万一ステージＳ上に瓦礫Ｄ等が存在していても瓦礫Ｄ等の上に不安定に載置されることなく、特に軟弱な部分には突き刺さり、適切な支持力を得ることができる。また、瓦礫等の不陸によって高低差が生じていても、高い部分では前側基礎部１２１ａまたは後側基礎部１２２ａが突き刺さり、高低差を低減することができる。また、錘配置部１５０にカウンターウェイトＣＷを配置して、カウンターウェイトＣＷの重量によるモーメントによって浄化装置１０の重量によるモーメントと略釣り合わせていることで、浄化装置１０を吊下げた状態で安定的に支持装置１１０を配置することができる。
【００５３】
次に、浄化工程として、使用済燃料プールＰのプール水Ｗを浄化する。すなわち、浄化装置１０のポンプ３０を駆動することで、所望の深さに位置する吸引孔２３ａからプール水Ｗを吸引する。吸引されたプール水Ｗは吸引管２０内を接続管５０が接続された位置まで吸い上げられる。吸い上げられたプール水Ｗは、各接続管５０に流入し、対応するフィルタ部４０に供給される。ここで、複数のフィルタ部４０は接続管５０により吸引管２０に対して並列に接続されていることで、吸い上げられたプール水Ｗを濃度等が同じ条件となるように略均等な条件として各フィルタ部４０に供給することができる。各フィルタ部４０に供給されたプール水Ｗは、フィルタ本体４２の内周側から外周側へと透過し、プール水Ｗに混入する塵埃などの粒子状物質はフィルタ本体４２に捕捉される。プール水Ｗから粒子状物質が取り除かれることで生成された処理水Ｗ２は、ケーシング４１の貫通孔４１ａから外周側へと放出されて下方へと落下する。落下した処理水Ｗ２は底板６３によって受け止められた後にフレーム６０の開口６５から放出されて水面Ｗ１へと落下する。このように、所望の深さの浄化すべき位置でプール水Ｗを吸引して浄化することができるとともに、処理水Ｗ２は水面Ｗ１に放出することで処理水Ｗ２を直接的に再吸引して浄化してしまうことを防止し、効果的に浄化すべきプール水Ｗを吸引し浄化することができる。また、何等かの理由により一部のフィルタ部４０の透過性能が低下し、また、径時変化によって複数のフィルタ部４０の透過性能にばらつきが生じても、複数のフィルタ部４０は接続管５０により吸引管２０に対して並列に接続されていることで、相対的に透過性能が高いフィルタ部４０にプール水Ｗを供給させて浄化させることができ、複数のフィルタ部４０それぞれを一定の透過性能まで有効に利用することができる。また、万一漏洩があっても使用済燃料プールＰの周囲に飛散せず、プール水Ｗが系外に流出することはないため、多少の漏えいであっても運転を継続でき、放射性物質を含むプール水Ｗにより使用済燃料プールＰの周囲が汚染される恐れがない。
【００５４】
ここで、浄化処理中、圧力計７０及び監視カメラ１６０による監視が行われている。通常、閉塞板２７に設けられた圧力計７０では、ポンプ３０の出力及び揚程に応じた計画値と対応する圧力値が測定されている。一方、ポンプ３０の出力が設定値より上昇した場合、また、フィルタ部４０の透過性能が目詰まり等により全体的に低下した場合などでは、圧力値は計画値よりも高くなる。また、ポンプ３０の出力が設定値より低下した場合、フィルタ部４０が脱落した場合、接続管５０や吸引管２０からの漏洩が発生した場合、また、吸引孔２３ａに目詰まりが生じた場合などでは、圧力値は計画値よりも低くなる。このように圧力計７０で測定される圧力値を監視することで、浄化装置１０の異常を定量的に監視することができる。また、監視カメラ１６０では浄化装置１０を上方から監視している。このため、圧力計７０の状態、接続管５０や、吸引管２０における基端管２２の漏洩、フィルタ部４０の脱落、フィルタ部４０からの処理水Ｗ２の放出状況、底板６３から水面Ｗ１への処理水Ｗ２の放出状況などを外観的に確認でき、遠隔で運転状況を監視することができる。
【００５５】
なお、監視カメラ１６０による上方からの監視は、監視カメラ１６０自体がフィルタ部４０などの監視対象の直上に配置されている形態に限られない。フィルタ部４０などの監視対象を上方より監視できる位置に設けられていれば良く、例えば張出部１３０の基端側に設けられており、斜め上方より監視する形態としても良い。また、上記のとおり他の監視用のセンサを設けて監視しても良い。フィルタ部４０の圧力を図る圧力センサが設けられていることで、より直接的にフィルタ部４０の透過性能を監視することができる。また、プール水Ｗの温度を測定する温度計が設けられていることで浄化処理とともに使用済燃料の冷却状況を監視することができる。また、プール水Ｗの水位を測定する水位計が設けられていることで、使用済燃料の冷却状況とともに浄化処理中の漏洩の有無も監視することができる。さらに、放射線の線量を測定する線量計を備えていることで、周辺の線量や浄化中のプール水Ｗの放射性物質の混入状況などを監視することができる。
【００５６】
以上にように、監視を行いながら吸引、浄化、再供給のプロセスを繰り返し行い、使用済燃料プールＰのプール水Ｗの浄化処理を行う。そして、プール水Ｗの混濁状態が所望の状態まで改善されたか、また、圧力計７０によって測定される圧力値が所定の閾値を超えて全フィルタ部４０の透過性能に劣化が生じて交換時期と判断されるかいずれかの場合には、浄化処理を終了する。
【００５７】
次に、撤去工程を実施する。設置工程同様に、クレーンの吊具で支持装置１１０の吊架部１４０を把持して吊り上げる。この際、まず吸引管２０全体が水面Ｗ１の上方に位置するように、直上に吊り上げた状態で静止して水切りを行う。水切りが十分に行われたら、クレーンにより作業面Ｆまで搬送し、支持装置１１０を仮置架台１７０に配置する。その後の浄化装置１０を取り外し一連のプロセスが完了する。なお、再度浄化処理を実施する場合には、新たな浄化装置１０に交換するか、または、浄化装置１０のフィルタ部４０を取り外して新たなフィルタ部４０に交換するかすれば良い。
【００５８】
以上のように、本実施形態の浄化システム１００の浄化装置１０では、ポンプ３０が駆動することにより使用済燃料プールＰに貯留されたプール水Ｗ内へと延びる吸引管２０の先端部２０Ａからプール水Ｗを吸引することができ、これにより浄化するために所望の位置でプール水Ｗを採取することができる。ここで、上記のとおり採取されたプール水Ｗは、プール水Ｗの水面Ｗ１上方まで案内されて浄化された後に水面Ｗ１上に放出されるのみであり、プール水Ｗの周辺に搬送されずに浄化処理が行われる。このため、万一採取したプール水Ｗが漏洩し、あるいは、浄化処理が行われた後の処理水Ｗ２が漏洩したとしても使用済燃料プールＰに戻るだけであるため、使用済燃料プールＰの周辺を汚染してしまうおそれがなく、また、使用済燃料の冷却水であるプール水Ｗが系外に流出しないことから多少の漏えいであっても継続して運転することができる。また、上記のとおり吸引管２０の先端部２０Ａでプール水Ｗを所望の位置で採取し浄化することができるので、効果的にプール水Ｗを浄化することができる。また、フィルタ部４０などが水面Ｗ１上に配置されているが故、処理水Ｗ２の放出状況を見ることで遠隔でも容易に運転状況を監視することができるとともに、フィルタ部４０などがプール水Ｗ中ではないのでプール水Ｗ中の瓦礫等との干渉を避けることができる。また、上記のように支持装置１１０で支持するのみならず、クレーンで浄化装置１０を直列吊り上げるなどしても液面上に遠隔に配置することが可能である。
【００５９】
本実施形態の浄化装置１０では、吊下部６４を有するフレーム６０によりフィルタ部４０を支持することで、吊下部６４で吊下げ支持した状態で、フィルタ部４０を、プール水Ｗの水面Ｗ１上方において落下の恐れなく安定的に支持することができる。本実施形態の浄化装置１０では、処理水Ｗ２がフィルタ部４０の下方に配された底板６３によって受け止められた後に水面Ｗ１へと放出されるため、フィルタ部４０から放出される処理水Ｗ２の状態をフィルタ部４０上方などから好適に監視することができる。また、底板６３によってフィルタ部４０等が脱落した場合にプール水中Ｗへの落下を防止することもできる。なお、本実施形態では底板６３はフレーム６０の構造の一部としたがこれに限ることはなく、フィルタ部４０の一部として設けられているものとしても良いが、フレーム６０に設けられていることでフィルタ部４０が脱落した場合の支持構造としても機能できる点で望ましい。
【００６０】
また、本実施形態の浄化装置１０では、複数のフィルタ部４０が接続管５０により吸引管２０に対して並列に接続されていることで、プール水Ｗを濃度等が同じ条件となるように略均等な条件として各フィルタ部４０に供給することができる。このため、フィルタ部４０の劣化が偏ってしまうことを抑制することができる。また万一、一部のフィルタ部４０の劣化が進行してしまった場合には、残りのフィルタ部４０に接続管５０を通してプール水Ｗを供給することができるため、健全なフィルタ部４０を有効に利用することができる。また、第一浄化群４６においてはフィルタ部４０が吸引管２０を中心とする円周上に複数配されていることで、省スペースで多くのフィルタ部４０を配置することができる。また、吸引管２０からのフィルタ部４０までの距離を均等にすることができ、圧損の違いによるプール水Ｗの供給量の差を小さくして、フィルタ部４０の劣化が偏ってしまうことを防止することができる。さらに、複数のフィルタ部４０として、吸引からの距離が異なる第一浄化群４６と第二浄化群４７を備えることで省スペースでより多くのフィルタ部４０を配置することができる。特に、第一浄化群４６を構成する複数のフィルタ部４０を、吸引管２０を中心とする円周上に配置するとともに、第二浄化群４７を構成するフィルタ部４０を第一浄化群４６の両側で直線状に配列することでコンパクトに、所定数量のフィルタ部４０を矩形状のフレーム６０に収容することができる。そして、フレーム６０を矩形状にすることで、矩形状の使用済燃料プールＰの壁面に沿って省スペースで浄化装置１０を配置することができる。ここで、第二浄化群４７のフィルタ部４０と吸引管２０とを接続する接続管５０が第二浄化群４７より吸引管２０に近い第一浄化群４６のフィルタ部４０の中心から平面視して位置をずらして配されていることで、第二浄化群４７のフィルタ部４０に接続される接続管５０が第一浄化群４６のフィルタ部４０の設置及びメンテナンスに支障となってしまうことを防止することができる。
【００６１】
また、プール水Ｗを吸引する吸引孔２３ａについては、先端部２０Ａの外周面に側方に向けて開口している。これにより、吸引管の先端側がプール水Ｗ中で瓦礫等に干渉したとしてもプール水Ｗの吸引が阻害されず、また、見えにくい吸引管２０の先端側で小さな瓦礫等を誤って吸引してしまうことを防止することができる。さらに、上記構成により、吸引孔の径を小さくすることで小さな瓦礫等の混入を防ぎつつ、所定量のプール水Ｗを吸引できるよう必要な孔数を前記先端部の外周面側方に設けることができる。
【００６２】
また、本実施形態の浄化装置１０では、吸引管２０の先端部２０Ａが先端に向かうに従って小径となっていることで、吸引管２０の先端部２０Ａをプール水Ｗに挿入した際に、プール水Ｗの内部に存在する瓦礫等の支障物との干渉を避けて狭隘な部分に容易に挿入することができる。
【００６３】
そして、浄化システム１００では、上記のような浄化装置１０について、プール水Ｗの側方に基部１２０が載置された状態で、当該基部１２０からプール水Ｗの上方の位置へ側方に延び片持ち状に支持された張出部１３０により浄化装置１０を吊下げ支持してプール水Ｗの水面Ｗ１上方にフィルタ部４０を配置することができる。また、支持装置１１０が吊架部１４０を備え、吊架部１４０を吊下げることで、張出部１３０に吊下げられた浄化装置１０を、支持装置１１０ごと遠隔で搬送することができる。また、浄化装置１０を吊下げる張出部１３０が延びる側と反対側で錘配置部１５０にカウンターウェイトＣＷを配置することで、フィルタ部４０の重量により支持装置１１０が転倒してしまうことを防止することができる。そして、浄化装置１０が張出部１３０に吊下げられた状態では、前側基礎部１２１ａを支点として、張出部１３０に吊下げられた浄化装置１０の重量によるモーメントと、錘配置部１５０に配置されたカウンターウェイトＣＷの重量によるモーメントを略釣り合わせて、支持装置１１０が転倒してしまうことなく安定的に浄化装置１０を支持することができる。また、浄化装置１０が取り外された状態では、錘配置部１５０の直下に後側基礎部１２２ａが位置していることで、カウンターウェイトＣＷの重量をモーメントが発生してしまうことなく後側基礎部１２２ａで支持することができるので、浄化装置１０が取り外された状態でもバランスを失って転倒してしまうことを防止することができる。さらに、ステージＳに載置される基部１２０においてステージＳに支持される前側基礎部１２１ａ及び後側基礎部１２２ａがステージＳに向かって先細りとなっていることで、ステージＳに瓦礫Ｄ等が存在していてもこれら基礎部を貫入させて安定的に配置することができる。また、張出部１３０に監視カメラ１６０が設けられていることで張出部１３０に吊下げられた浄化装置１０のフィルタ部４０を上方から好適に監視することができる。
【００６４】
図１０及び図１１は、浄化装置の変形例について示している。図１０及び図１１に示す本変形例の浄化装置２００は、ポンプ３０がフレーム６０の内部に配されており、吸引管２０における先端管２１のみがフレーム６０から下方に延びている。また、浄化装置２００は、複数のフィルタ部４０で構成された上部浄化群２１０と、複数のフィルタ部４０で構成され上部浄化群２１０の下方に位置する下部浄化群２１１とを備える。上部浄化群２１０及び下部浄化群２１１をそれぞれ構成する複数のフィルタ部４０は、吸引管２０を中心とする円周上に配置され、吸引管２０からの距離を等しくしている。本実施形態では、上部浄化群２１０及び下部浄化群２１１はそれぞれ６つのフィルタ部４０で構成されている。また、上部浄化群２１０と下部浄化群２１１とでは平面視してフィルタ部４０の位置をずらしている。
【００６５】
本変形例では、高さ方向の寸法が大きくなり張出部１３０による水面Ｗ１から吊下げる高さが高くなるものの、高さ方向に複数段とすることによってより多くのフィルタ部４０によって浄化処理を行うことができる。また、上部浄化群２１０のフィルタ部４０と下部浄化群２１１のフィルタ部４０とで平面視して位置ずれさせることで下部浄化群２１１のフィルタ部４０も上方から監視可能とすることができる。
【００６６】
以上、本発明の実施形態及び変形例について図面を参照して詳述したが、具体的な構成はこれら実施形態及び変形例に限られるものではなく、本発明の要旨を逸脱しない範囲の設計変更等も含まれる。
【００６７】
例えば、上記浄化装置では、対象液であるプール水Ｗの除去対象物質を除去する手段である浄化部としてフィルタ部４０を備え、プール水Ｗを濾過することにより除去対象物質を捕捉するものとしたが、対象液に含まれる除去対象物質を除去する手段である限り、これに限るものではない。例えば、除去対象物質を吸着させる吸着材料を備え、当該吸着材料に吸着させる構成としても良い。また、例えば、プール水Ｗに混入する除去対象物質を化学的に凝集化し沈降させる構成としても良い。
【００６８】
また、浄化装置１０は、支持装置１１０に吊下げられるものとしたがこれに限るものではない。例えば、周辺の壁面や天井面に設けられたフック等に係合して水面Ｗ１上にフィルタ部４０を配置する構成としても良い。また、フィルタ部４０は複数設けられるものとしたがこれに限らず、一つのみの構成としても良く、また、複数が直列に配置されていても良い。また、上記実施形態では、複数のフィルタ部４０は吸引管２０に距離の近い第一浄化群４６及び距離の遠い第二浄化群４７で構成されているものとしたが、さらに吸引管２０から距離が遠い浄化群を設けて３配列以上としても良い。同様に上記変形例のように高さ方向に２段構成に限らず、３段以上の構成としても良い。
【００６９】
また、本実施形態及び変形例の浄化システムでは使用済燃料プールＰのプール水Ｗを浄化対象となる対象液として浄化するものとしたがこれに限るものではない。例えば、貯水池の水や、水以外の液体の浄化処理にも適用可能である。
【符号の説明】
【００７０】
１０  浄化装置
２０  吸引管
２０Ａ  先端部
２３ａ  吸引孔
３０  ポンプ（吸引駆動部）
４０  フィルタ部（浄化部）
４６  第一浄化群
４７  第二浄化群
５０  接続管
６０  フレーム
６３  底板（底部）
１００  浄化システム
１１０  支持装置
１２０  基部
１２１ａ  前側基礎部（基礎部）
１２２ａ  後側基礎部（基礎部）
１３０  張出部
１４０  吊架部
１５０  錘配置部
１６０  監視カメラ
ＣＷ  カウンターウェイト
Ｗ  対象液
Ｗ１  液面  
【図１】
2018164881.tif 000003
【図２】
2018164881.tif 000004
【図３】
2018164881.tif 000005
【図４】
2018164881.tif 000006
【図５】
2018164881.tif 000007
【図６】
2018164881.tif 000008
【図７】
2018164881.tif 000009
【図８】
2018164881.tif 000010
【図９】
2018164881.tif 000011
【図１０】
2018164881.tif 000012
【図１１】
2018164881.tif 000013